(57)【特許請求の範囲】
【請求項１】
少なくともその第１表面部が植設材の表面形状に対応するブランク形状部を備えた植設原材が成形される原材成形工程と、
少なくとも前記第１表面部上に下地メッキ層が形成される下地メッキ工程と、
前記第１表面部が部分的に除去されるように前記ブランク形状部が加工されて第２表面部が成形される第２表面部成形工程と、
前記第１表面部及び前記第２表面部上に仕上げメッキを施す仕上げメッキ工程と、
を有することを特徴とする植設材の製造方法。
【請求項２】
前記第１表面部が曲面であり、前記第２表面部が平面であることを特徴とする請求項１に記載の植設材の製造方法。
【請求項３】
前記第１表面部が斜面部であり、前記第２表面部が上面部であることを特徴とする請求項１又は請求項２に記載の植設材の製造方法。
【請求項４】
前記下地メッキ工程では、前記第１表面部上に厚い第１メッキ層が形成され、該第１メッキ層上に薄い第２メッキ層が形成されることを特徴とする請求項１乃至請求項３のいずれか１項に記載の植設材の製造方法。
【請求項５】
前記下地メッキ工程の前に、前記第１表面部を研磨する研磨工程を有することを特徴とする請求項１乃至請求項４のいずれか１項に記載の植設材の製造方法。
【請求項６】
前記第２表面部成形工程では、前記ブランク形状部がダイヤモンドカッタで切削加工されることを特徴とする請求項１乃至請求項５のいずれか１項に記載の植設材の製造方法。
【請求項７】
請求項１乃至請求項６のいずれか１項に記載の方法で製造した植設材を備えた時計。
【発明の詳細な説明】
【０００１】
【発明の属する技術分野】
本発明は植設材の製造方法及び時計に係り、特に、時計の文字板に植設される植え字を製造する場合に好適な製造技術に関する。
【０００２】
【従来の技術】
一般に、時計の文字板には、時刻を示す文字、数字、記号、その他の表示が印刷その他の各種の方法で表されている。特に、高級時計の文字板には、植え字と称される植設材を取付固定することによって上記表示が構成される。植え字には、文字や数字などの字を表すものと、略字（目盛）などのように字そのものではないが、文字板上の表示の一部として構成されるものとがある。また、植え字の形状としては、表面形状がほぼ平面のみで構成されるものと、文字自体の曲折を反映して表面形状の少なくとも一部に曲面を含むものとがある。植え字を全て平面のみの表面形状で形成することも可能ではあるが、高級感を出すことはできない。また、植え字の表面形状には通常斜面部が設けられ、この斜面部の光反射により高級感をさらに高めるようにしている。
【０００３】
従来、上記植え字を製造する場合には、最初に、植え字を文字板に取り付ける際に用いる取付足部をプレス打ち出しなどの塑性加工によって成形し、次に、表面形状をダイヤモンドカッタ等でカットして成形した後に、表面にメッキを施して仕上げるといった方法が採用されていた。しかし、この方法では上述のように平面のみで構成される表面形状を有する植え字の場合には比較的容易に製造できるが、曲面を含む表面形状を有する植え字では、手作業に頼らざるを得ないため、製造コストが高くなり、比較的安価なモデルには採用できないという欠点がある。また、製造コストを低減するために、外観デザインを犠牲にして、上記のような曲面を含む表面形状には斜面部を設けない場合もあった。
【０００４】
【発明が解決しようとする課題】
上記のように、従来の時計の植え字においては、上述のように、高級感を出すためには手間がかかり、製造コストを低減するためには高級感を犠牲にせざるを得ないといった問題点、すなわち、製造コストの低減と外観の向上とを両立できないという基本的な問題点があった。例えば、曲面を含む表面形状においては、上記のようにダイヤモンドカッタを用いることができない曲面状の斜面部に歪みが生じ易く、また、目立ちやすいことから、高級感を損なう場合がある。このような斜面部の歪みを低減するためにバフ研磨などによって平滑化する方法も考えられるが、植え字そのものが微細であるとともに斜面部の境界のダレが生じやすいことから、量産工程において実施することはきわめて困難である。
【０００５】
また、上記以外の、例えば外観上の問題点としては、植え字の表面形状にカットのばらつき等による外観不良が多く、歩留まりが低下し、納期の短縮が困難であるという問題点がある。
【０００６】
そこで本発明は上記問題点を解決するものであり、その課題は、植え字などの植設材の製造工程を大幅に変更することによって、製造コストの上昇を抑制しつつ、斜面部の平滑性を向上させるとともに、表面形状の精度とばらつきを低減し、より高級感のある外観を表出可能な植設材の製造方法及びこれを用いて製造した植設材を備えた時計を提供することにある。
【０００７】
【課題を解決するための手段】
上記課題を解決するために本発明の植設材の製造方法は、少なくともその第１表面部が植設材の表面形状に対応するブランク形状部を備えた植設原材が成形される原材成形工程と、少なくとも前記第１表面部上に下地メッキ層が形成される下地メッキ工程と、前記第１表面部が部分的に除去されるように前記ブランク形状部が加工されて第２表面部が成形される第２表面部成形工程と、前記第１表面部及び前記第２表面部上に仕上げメッキを施す仕上げメッキ工程と、を有することを特徴とする。
【０００８】
この発明によれば、ブランク形状部の第１表面部上に下地メッキ層を形成することによって第１表面部の平滑性が向上するとともに、その後の第２表面部成形工程で第２表面部が形成されてから、第１表面部と第２表面部とに一括して仕上げメッキを施すようにしたことにより、第２表面部成形工程による第２表面部が高精度に加工されてさえいれば、高精度でばらつきの少ない表面形状を得ることができる。
【０００９】
本発明において、前記第１表面部が曲面であり、前記第２表面部が平面であることが好ましい。
【００１０】
従来方法では、曲面を含む表面形状を形成したい場合、曲面の平滑度を高めることができないために外観が悪化していたが、本発明では、予め第１表面部である曲面を成形しておき、この曲面上に下地メッキ層を形成してから第２表面部である平坦なカット面を形成し、その後、表面全体を仕上げメッキで覆うといった方法を採ることにより、下地メッキにより第１表面部である曲面の平滑性を向上させることができ、一方、第２表面部である平坦なカット面は平坦性が得易いので、高精度でばらつきの少ない表面形状を容易に形成することができる。
【００１１】
本発明において、前記第１表面部が斜面部であり、前記第２表面部が上面部であることが好ましい。
【００１２】
この発明によれば、原材成形工程において加工の困難な第１表面部である斜面部が既に成形されていることにより、最終段階において加工のより容易な第２表面部である上面部だけを加工すればよいので、製造効率を向上させることができるとともに、より高精度でばらつきの少ない表面形状を形成できる。
【００１３】
本発明において、前記下地メッキ工程では、前記第１表面部上に厚い第１メッキ層が形成され、該第１メッキ層上に薄い第２メッキ層が形成されることが好ましい。
【００１４】
この発明によれば、メッキの被着性はメッキを施す表面の材質、メッキの材質、メッキ方法などによって様々であるため、厚い第１メッキ層と、薄い第２メッキ層の組合せによって下地メッキ層を形成することにより、第１メッキ層として第１表面部の平滑性を向上させるのに適した素材（例えばＮｉメッキ（光沢Ｎｉ）層）を選定し、これを厚く形成することによって平滑性を高めることが可能になり、第２メッキ層として仕上げメッキの被着性を向上させるための素材（例えばＡｕメッキ層）を選定することが可能になるので、第１表面部の平滑性を向上させることができるとともに、その上に形成される仕上げメッキ層の表面状態を良好に形成できることから、外観をさらに向上させることが可能になる。なお、第１メッキ層と第２メッキ層の厚さに関しては、相対的に第１メッキ層が第２メッキ層よりも厚くなっていればよい。
【００１５】
本発明において、前記下地メッキ工程の前に、前記第１表面部を研磨する研磨工程を有することが好ましい。
【００１６】
この発明によれば、第１表面部を研磨してから下地メッキを施すことによって第１表面部の平滑性をさらに高めることができる。
【００１７】
本発明において、前記第２表面部成形工程では、前記ブランク形状部がダイヤモンド製のカッタで切削加工されることが好ましい。
【００１８】
この発明によれば、ダイヤモンド製のカッタで切削加工されることにより、カッタの形状に対応したきわめて高精度で平滑な第２表面部を得ることができる。
【００１９】
また、本発明の時計は、上記のいずれかに記載の方法で製造した植設材を備えたものである。この時計としては、植設材を外装ケース上に取り付けたもの、文字板上に取り付けたもの、時計バンド上に取り付けたものなどが挙げられる。また、この時計には、置時計、掛時計、柱時計、腕時計、懐中時計、時計機能を有するダイビングコンピュータや卓上カレンダーなどが含まれる。
【００２０】
【発明の実施の形態】
次に、添付図面を参照して本発明に係る植設材の製造方法の実施形態について詳細に説明する。以下に説明する本実施形態は、腕時計の文字板に植設される植え字（植えマーク、植えネームなども含む。）を製造する方法に関するものについて説明するが、本発明の製造方法は、上記の植え字に限らず、種々の部材に植設されるべき取付足部を備えた各種の植設材に適用可能である。
【００２１】
図１は、本実施形態により製造される植設材である植え字を備えた文字板の構造の一例を示す平面図である。文字板１０には、いずれも植設材である植え字（植え数字）１１、植え略字１２、及び、植えリング１３が取付固定されている。植え字１１としては、時刻を表す数字「１」、「２」及び「６」があり、植え略字１２としては、時刻を表す棒状の目盛となっている。これらの植え字１１、植え略字１２及び植えリング１３はいずれも背面側に突出した図示しない取付足部を備えており、この取付足部が文字板１０の穴部若しくは孔部に挿入された状態で固定されている。
【００２２】
図２は、植え字１１の構造を示す平面図及び側面図である。植え字１１は、上記の文字板１０に取り付けた場合に視認可能な表面１１Ａと、取付足部１１Ｂとを有している。表面１１Ａには、文字板１０の板面に対してほぼ平行平面で構成される上面部１１Ａ−１と、文字板１０の板面に対して傾斜した斜面部１１Ａ−２とが形成されている。また、取付足部１１Ｂは、植え字１１の背面から突出した軸状に構成されている。なお、植え略字１２においても、図１に示すように、その表面にはほぼ平坦な上面部１２Ａ−１と、斜面部１２Ａ−２が設けられている。
【００２３】
次に、本実施形態の植設材の製造方法の工程について詳細に説明する。図３乃至図１１は、本実施形態の製造工程を順次説明するための工程説明図であり、図１２は、本製造方法の工程手順を示す概略フローチャートである。
【００２４】
最初に、黄銅等の金属材料で構成された帯状材（フープ材）２０にプレス加工を施し、図３に示すように、帯状材２０の表面２０ａから突出するようにブランク形状部２０ｂを成形する（図１２に示すブランク成形工程）。このブランク形状部２０ｂは、図１及び図２に示した植設材の表面形状の原形となる形状を備えている。このように、帯状材２０の表面２０ａからブランク形状部２０ｂを突出させることにより、帯状材２０のままで上記植え字１１の表面１１Ａに対応するブランク形状部２０ｂを形成することができる。したがって、個々に分離した状態でブランク形状部２０ｂの成形を行わなくてもよいので、製造効率を上げることが可能になる。
【００２５】
また、帯状材２０の表面２０ａには、加工時位置決め部２０ｃと、プレス時位置決め部２０ｄとが突起として設けられる。なお、これらの加工時位置決め部２０ｃ、プレス位置決め部２０ｄは、いずれも凹部或いは貫通孔で構成されていてもよい。
【００２６】
さらに、この工程においては、帯状材２０における表面２０ａのうち、上記ブランク形状部２０ｂの周囲表面を凹凸面若しくは粗面２０ｅに成形する。この凹凸面若しくは粗面２０ｅは図示例のように部分的に形成されてもよく、或いは、ブランク形状部２０ｂの周囲全てに形成されていてもよい。図３には、帯状材２０の表面２０ａに格子状（クロス状）の筋目が形成されている例を示してある。なお、上記と同様の凹凸面若しくは粗面を、帯状材２０の裏面（図示せず）に形成してもよい。
【００２７】
次に、上記帯状材２０からプレス打ち抜き加工により、上記ブランク形状部２０ｂ及び加工時位置決め部２０ｃを含む部分（図示点線）を抜き落とすことにより、ブランク基材２１を形成する（図１２に示すブランク外形抜き）。このブランク基材２１は、基部２１ａと、この基部２１ａの表面から突出した上記ブランク形状部２１ｂと、ブランク基材２１を後の工程で位置決めするために上記の加工時位置決め部２０ｃが残されてなる加工時位置決め部２１ｃとを備えている。そして、このブランク基材２１の基部２１ａの表面には、上記の凹凸面若しくは粗面２０ｅがそのまま残されてなる凹凸面若しくは粗面２１ｅが形成されている。
【００２８】
次に、図４に示すように、上記ブランク基材２１を冶具３０に取付固定する。冶具３０には、ブランク基材２１のブランク形状部２１ｂを、余裕を持って収容可能な収容凹部３１と、加工時位置決め部２１ｃと嵌合し、位置決めすることができる位置決め部３２（図示例では穴部若しくは凹部）とが形成されている。収容凹部３１はブランク基材２１が取り付けられたときにブランク形状部２１ｂの損傷を防止するために、ブランク形状部２１ｂと冶具３０とが直接接触しないように構成されている。そして、ブランク基材２１は、ブランク形状部２１ｂが収容凹部３１に収容され、加工時位置決め部２１ｃが位置決め部３２に位置決めされた状態で、ニス、ニカワ、ワックス等の固着材３３によって冶具３０に貼付固定される（図１２に示す足切削用冶具貼付）。
【００２９】
このとき、上記のようにブランク基材２１の表面に（或いは裏面にも）形成された凹凸面若しくは粗面によって、ブランク基材２１の固着強度を高めることができるので、より安定した状態で後述する加工を行うことができる。特に、固着材３３が凹凸面若しくは粗面と強固に固着するので、冶具３０の表面上の平面方向にブランク基材２１が位置ずれを起こすことを防止できる。
【００３０】
なお、図４には冶具３０に一つのブランク基材２１だけが取り付けられている状態を示すが、実際には、冶具３０に複数の上記収容凹部３１や位置決め部３２が形成され、一つの冶具３０に複数のブランク基材２１が取り付けられるようにすることが好ましい。
【００３１】
そして、図５に示すように、上記のように冶具３０に固定されたブランク基材２１に対して、切削加工によって基部２１ａを除去して、表面２２Ａと取付足部２２Ｂを備えた植設原材２２を形成する（図１２に示す足切削）。このとき、基部２１ａの一部を残存させることにより、植設原材２２の取付足部２２Ｂを形成する。表面２２Ａは、上記ブランク形状部２１ｂと同じ形状のままである。
【００３２】
図６及び図７には、上記切削加工の方法を示す。図６は加工前のブランク基材２１を基部２１ａ側から見た背面図であり、図７は、切削方法を示す原理図である。この切削加工では、上記取付足部２２Ｂを避けるように回転軸から切削刃３５をシフトさせた状態で回転させ、基部２１ａを切削していくことにより、ブランク形状部の形成された範囲に相当する平面範囲を有する植設原材２２が分離されると同時に取付足部２２Ｂが形成される。切削刃３５は、その回転範囲（図６に一点鎖線で示す）によって上記ブランク基材２１の基部２１ａがブランク形状部２１ｂから完全に除去され得る大きさに構成される。この切削加工によって植設原材２２と加工時位置決め部２１ｃとは相互に分離される。
【００３３】
上記のようにして形成された植設原材２２は有機溶剤等で冶具３０から剥離され、その後、図１２に示すように、植設原材２２に乾式バレル研磨が施され、切削加工時にバリが生じた場合には、この研磨により除去される。その後、図８に示すように、植設原材２２の表面２２ＡにＮｉ等の厚付けメッキ処理（光沢Ｎｉメッキ）が施されて、好ましくは厚さ２〜３μｍの第１メッキ層２２ａが形成される。この第１メッキ層２２ａは、上面部２２Ａ−１と斜面部２２Ａ−２とを含む表面２２Ａのうち、特に斜面部２２Ａ−２上に形成される、最終的に得られる植設材の斜面部の歪みを低減し、その平滑性を向上させるためのものである。本実施形態においては、植設原材２２の素材が黄銅であることによって、メッキの被着性が良好である。
【００３４】
また、上記第１メッキ層２２ａの更にその上にはＡｕ等の薄付けメッキ処理が施され、好ましくは０．２μｍ程度の第２メッキ層２２ｂが形成される。この第２メッキ層は、後述する仕上げメッキの被着性を高める目的で形成される。これらの第１メッキ層２２ａ及び第２メッキ層２２ｂは下地メッキ層を構成する（図１２に示す下地メッキ）。
【００３５】
その後、図９に示すように、上記の植設原材２２を冶具３６に取付固定する（図１２に示す上面カット用冶具貼付）。この冶具３６には、植設原材２２の取付足部２２Ｂに嵌合し、位置決め可能な位置決め部３６ａ（図示例では穴部若しくは凹部）が形成されており、この位置決め部３６ａによって位置決めされた植設原材２２は、ニス、ニカワ、ワックス等の固着材３７で固定される。そして、ダイヤモンド製の刃を有するダイヤモンドカッタ３８によって図８に一点鎖線Ｃで示すように植設原材２２の上部を薄く削り取る（図１２に示す上面カット）。
【００３６】
図１０は、上記の上面カット工程によって加工された植設原材２２’を示す。この植設原材２２’においては、表面２２’のうち上部の上面部２２Ａ−１’がダイヤモンドカッタ３８によって高精度な平坦面（鏡面）に加工されており、斜面部２２Ａ−２’はカット部分だけ上部がなくなっている。なお、取付足部２２Ｂに変わりはない。その後、植設原材２２’は冶具３６から有機溶剤等により剥離される。なお、必要に応じて、粗カットと仕上げカットなど、複数回カット加工を繰り返すことにより、仕上げ精度及び面精度を向上させることができる。
【００３７】
なお、本実施形態では、上面カットにより上面部が平坦になるように加工しているが、刃形状を変えたり、複数回のカット加工を行ったりすることにより、上面形状を凹凸形状にしたり、スジ目を入れたりといった適宜の面形状に加工することもできる。
【００３８】
最後に、図１１及び図１２に示すように、上記の植設原材２２’の表面２２Ａ’全体に仕上げメッキを施し、仕上げメッキ層１１ｃを形成して、植設材１１を完成させる。この仕上げメッキ層１１ｃは、例えば、外観を銀色にしたい場合にはＮｉ−Ｒｒ合金で構成し、外観を金色にしたい場合にはＮｉ−Ａｕ合金で構成する。仕上げメッキ層１１ｃの厚さは０．１〜０．２μｍ程度が平坦性を損なわずに充分に被覆できる点で好ましい。これにより、図１に示す植え字１１が完成する。
【００３９】
ここで、本実施形態では植設原材２２’の素材として黄銅を用いることにより、この仕上げメッキ層１１ｃのうち特に上面部２２Ａ−１’上に形成される部分のメッキ不良（霜降りと呼ばれ白濁して見える状態など）を防止することができた。また、上記の下地メッキである第２メッキ層１１ｂの存在により斜面部２２Ａ−２上に形成される部分におけるメッキ不良もほとんど生じない。
【００４０】
なお、図１１に示す植設材１１においては、植設原材２２の第１メッキ層２２ａを第１斜面メッキ層１１ａとして示し、植設原材２２の第２メッキ層２２ｂを第２斜面メッキ層１１ｂとして示してある。
【００４１】
本実施形態によれば、最初に基部上に突出するブランク形状部を成形してブランク基材を形成し、その後に、基部を除去することにより取付足部を形成するようにしているので、ブランク形状部を高精度かつ容易に成形することが可能になる。特に斜面部となる部分を予め成形することによって、斜面部を高精度に成形できるとともに、後の加工が容易になる。
【００４２】
特に、ブランク成形工程において、基部上に突出するブランク形状部を有するブランク基部を形成することにより、基部形状の如何に拘わらずブランク形状部を最初に成形できるようになった。すなわち、帯状材などの素材から最初に取付足部を打ち出す代りに、素材からブランク形状部を突出成形させることによって、基部とは別にブランク形状部を設けることができる。したがって、素材を個々に分離しなくても加工が可能になり、高精度且つ容易にブランク形状部を成形することができるようになった。また、その後、基部を部分的に除去することによって取付足部を形成することも可能になった。
【００４３】
また、ブランク形状部を塑性加工によって成形することにより、複雑なブランク形状部であっても容易且つ高精度に成形することができる。例えば、植え字１１のように表面１１Ａに曲面が含まれた形状を有する植設材の場合には、曲面状の斜面部を容易に成形できる。
【００４４】
さらに、取付足部を切削加工によって形成することにより、取付足部が突出する背面部を容易且つ高精度に平坦化できるので、植設材を文字板等に取り付けたときに取付姿勢の不良（取付姿勢の傾斜）が生ずることを防止でき、取付精度を高めることができた。
【００４５】
本実施形態では、バレル研磨によって上記切削加工によって形成された取付足部及びその周辺のバリ等を除去しているが、このとき同時に斜面部分についても平滑化され、型肌が除去される。さらに、その上に厚付けメッキによって斜面部を覆うことにより、植設材の斜面部の歪みをさらに低減することが可能になった。
【００４６】
本実施形態においては、植設原材には斜面部に相当する傾斜面が既に形成されているために、上記のように処理された植設原材の上部をカットするだけで、上面部と斜面部との境界を鋭利に形成することが可能になる。したがって、それ以前の研磨作業等によるダレが外観に影響することはない。また、上記のように斜面部を最初に成形した面で構成し、厚付けメッキ等で平滑化しているので、この時点において改めて斜面部の加工を行う必要がなくなるため、作業性が向上する。
【００４７】
上記のようにして製造された植設材は図１に示すように文字板１０に取り付けられ、この文字板１０は、図１３に示す時計（腕時計）１００に組み込まれる。この時計１００は、時計本体１１０と、時計バンド１２０とを有する。時計本体１１０には、時計ケース１１１、リュウズ１１２、表示窓１１３、指針１１４などが含まれる。また、必要に応じて図示しない裏蓋が時計ケース１１１の背面側に設けられる。
【００４８】
この時計１００においては、植え字１１などの植設材の斜面部が通常の使用態様において目立つことから、外観上きわめて重要な要素になり、時計１００の高級感の程度を決定する大きなポイントになる。したがって、本発明の植設材を用いることによって高品位の植設材を効率的に製造することが可能になるので、きわめて品位の高い時計を安定的に市場に供給していくことが可能になる。
【００４９】
尚、本発明の植設材の製造方法は、上述の図示例にのみ限定されるものではなく、本発明の要旨を逸脱しない範囲内において種々変更を加え得ることは勿論である。例えば、植え字１１の加工について説明したが、同様の加工を植え字以外の植え略字や植えマークなどの種々の植設材に適用することができる。また、植設材の取付対象としては上記時計の文字板に限定されるものではなく、本発明は、他の種々の装飾品、携帯品、身飾品等に取り付けられるものに適用することができる。
【００５０】
【発明の効果】
以上、説明したように本発明によれば、製造コストの上昇を抑制しつつ、曲面や斜面部など表面部分の平滑性を向上させることができるとともに、植設材を高精度且つ容易に製造できる。
【図面の簡単な説明】
【図１】  本発明に係る植設材の製造方法の実施形態によって製造された植設材を取り付けた時計用文字板を示す平面図である。
【図２】  図１に示す植設材の構造を示す平面図及び側面図である。
【図３】  製造プロセスのうちブランク基材の成形工程を示す工程説明図である。
【図４】  製造プロセスのうち取付足部の成形工程の状態を示す工程説明図である。
【図５】  図４の取付足部の成形工程によって加工された後の状態を示す工程説明図である。
【図６】  ブランク基材に対する取付足部の成形工程の内容を説明するための工程説明図である。
【図７】  ブランク基材に対する取付足部の成形工程の加工方法を説明するための工程説明図である。
【図８】  植設原材の構造を示す縦断面図である。
【図９】  植設原材に対する上面カット加工の状態を示す工程説明図である。
【図１０】  上面カット加工の施された植設原材の構造を示す縦断面図である。
【図１１】  最終的に形成された植設材の断面構造を示す縦断面図である。
【図１２】  植設材の製造プロセスの手順を示す概略フローチャートである。
【図１３】  上記植設材を取り付けた文字板を有する時計の正面図である。
【符号の説明】
１０・・・文字板、１１・・・植え字、１１Ａ・・・表面、１１Ａ−１・・・上面部、１１Ａ−２・・・斜面部、１２・・・植え略字、１３・・・植えリング、２０・・・帯状材、２０ａ・・・表面、２０ｂ・・・ブランク形状部、２０ｃ・・・加工時位置決め部、２０ｄ・・・プレス時位置決め部、２１・・・ブランク基材、２１ａ・・・基部、２１ｂ・・・ブランク形状部、２１ｃ・・・加工時位置決め部、２２・・・植設原材、２２Ａ・・・表面、２２Ａ−１・・・上面部、２２Ａ−２・・・斜面部、２２Ｂ・・・取付足部、３０，３６・・・冶具、３５・・・切削刃、３８・・・ダイヤモンドカッタ
【図１】
0003835305.tif 000002
【図２】
0003835305.tif 000003
【図３】
0003835305.tif 000004
【図４】
0003835305.tif 000005
【図５】
0003835305.tif 000006
【図６】
0003835305.tif 000007
【図７】
0003835305.tif 000008
【図８】
0003835305.tif 000009
【図９】
0003835305.tif 000010
【図１０】
0003835305.tif 000011
【図１１】
0003835305.tif 000012
【図１２】
0003835305.tif 000013
【図１３】
0003835305.tif 000014